【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
路盤上に隣接して設置され、且つ接続端面同士が相対的に変位する２つのコンクリート構造体間の荷重伝達手段としてのダウエルバーであって、
前記ダウエルバーは、一方の前記構造体の接続端面から内部にかけて水平に埋設固定される第１の埋設ユニットと、他方の前記構造体の接続端面から内部にかけて水平に埋設固定される第２の埋設ユニットと、を有し、
前記第１の埋設ユニットは、前記一方の構造体の接続端面に外側端面を露出した状態で埋設固定され且つその内部に軸方向全長に渡る雌螺子部を有した円管状のソケットと、該ソケットの内側開口内に螺着される雄螺子部を一端に有した第１の鋼棒と、該ソケットと該第１の鋼棒との間隙に充填された状態で両者を接着固定する防水接着剤と、を備え、
前記第２の埋設ユニットは、前記ソケットの外側開口内に一端の雄螺子部を螺着された状態で他方の構造体の内部に埋設固定される第２の鋼棒と、該ソケットと該第２の鋼棒との間隙に充填された状態で両者を接着固定する防水接着剤と、を備えており、
前記ソケットの外周には、内側端部から軸方向中央部に向けて外径が漸増するテーパー部が形成されていることを特徴とするダウエルバー。
【請求項２】
前記ソケットは、炭素鋼管から構成されていることを特徴とする請求項１に記載のダウエルバー。
【請求項３】
前記第１の鋼棒の雄螺子部の先端部は、前記ソケット外周のテーパー部の軸方向中央寄りの終端部を越えた位置までソケット内に没入していることを特徴とする請求項１、又は２に記載のダウエルバー。
【請求項４】
請求項１乃至３に記載のダウエルバーと、前記ソケットの外側開口内に螺合する雄螺子を外周に有した略円筒状の雄螺子部材と、該雄螺子部材の外側端面の軸心位置に、或いは／及び、該軸心位置から偏心した位置に形成された螺子穴と、該螺子穴内に螺着されるボルト部材と、該ボルト部材に締結されるナットと、を備えたことを特徴とするダウエルバーユニット。
【請求項５】
路盤上に隣接して設置され、且つ接続端面同士が相対的に変位する２つのコンクリート構造体間の荷重伝達手段としてのダウエルバーと、一方の前記コンクリート構造体の接続端面に添設される側板に前記ダウエルバーの一部を固定するための固定機構と、を備えたダウエルバーユニットであって、
前記ダウエルバーは、前記一方の構造体の接続端面から内部にかけて水平に埋設固定される第１の埋設ユニットと、他方の前記構造体の接続端面から内部にかけて水平に埋設固定される第２の埋設ユニットと、を有し、
前記第１の埋設ユニットは、前記一方の構造体の接続端面に外側端面を露出した状態で埋設固定され且つその内部に雌螺子部を有した円管状のソケットと、該ソケットの内側開口内に螺着される雄螺子部を一端に有した第１の鋼棒と、該ソケットと該第１の鋼棒との間隙に充填された状態で両者を接着固定する防水接着剤と、を備え、
前記第２の埋設ユニットは、前記ソケットの外側開口内に一端の雄螺子部を螺着された状態で他方の構造体の内部に埋設固定される第２の鋼棒と、該ソケットと該第２の鋼棒との間隙に充填された状態で両者を接着固定する防水接着剤と、を備えており、
前記固定機構は、前記第１の埋設ユニットを前記側板に固定する手段であり、前記ソケットの外側開口内に螺合する雄螺子を外周に有した略円筒状の雄螺子部材と、該雄螺子部材の外側端面の軸心位置に、或いは／及び、該軸心位置から偏心した位置に形成された螺子穴と、該螺子穴内に螺着されるボルト部材と、該ボルト部材に締結されるナットと、を備えたことを特徴とするダウエルバーユニット。
【請求項６】
請求項４又は５に記載のダウエルバーユニットを用いたダウエルバーの埋設工法であって、
路盤上に型枠を立設する工程と、
前記第１の埋設ユニットを構成する前記ソケットの外側開口内に前記雄螺子部材を螺着する工程と、
前記型枠を構成する側板に設けた貫通孔と前記雄螺子部材の螺子穴が連通するように前記第１の埋設ユニットを構成するソケットの外側端面を前記側板の内側面に添設し、該側板の外側から前記貫通孔を介して前記螺子穴内に前記ボルト部材を螺着してから該側板外側面から突出した該ボルト部材にナットを螺着することにより前記第１の埋設ユニットを前記側板に対して略水平に固定する工程と、
前記型枠内にコンクリートを打設して固化させることによりコンクリート構造体を構築する工程と、
前記コンクリートの固化後に、前記ナットと前記ボルト部材を取り外してから前記型枠を除去する工程と、
前記ソケット外側開口から前記雄螺子部材を除去する工程と、
を備えたことを特徴とするダウエルバーの埋設工法。
【請求項７】
請求項１乃至３の何れか一項に記載のダウエルバーと、該ダウエルバーを構成する前記第１の埋設ユニットのソケットを支持する側板の内側面に一端面を固定されて突設された角柱部材と、外周面に前記ソケットの雌螺子部を螺合する雄螺子部を有し且つ軸心部に前記角柱部材を嵌合させる角柱状の中空部を有した雄螺子部材と、を備えたことを特徴とするダウエルバーユニット。
【請求項８】
請求項１乃至３の何れか一項に記載のダウエルバーを用いた埋設工法であって、側板の内側面に角柱部材の一端部を固定した型枠を用意する工程と、路盤上に前記型枠を立設する工程と、前記角柱部材の外面に、外周面に雄螺子部を有し且つ軸心部に角柱状の中空部を有した雄螺子部材の該中空部を嵌合させる工程と、前記第１の埋設ユニットを構成する前記ソケットの外側開口内に前記雄螺子部材を螺着させることにより前記第１の埋設ユニットを前記側板に対して略水平に固定する工程と、前記型枠内にコンクリートを打設して固化させることによりコンクリート構造体を構築する工程と、前記コンクリートの固化後に、前記角柱部材と共に前記型枠を除去する工程と、前記ソケット外側開口内から前記雄螺子部材を除去する工程と、を備えたことを特徴とするダウエルバーの埋設工法。
【手続補正２】
【補正対象書類名】明細書
【補正対象項目名】００１２
【補正方法】変更
【補正の内容】
【００１２】
請求項５の発明は、路盤上に隣接して設置され、且つ接続端面同士が相対的に変位する２つのコンクリート構造体間の荷重伝達手段としてのダウエルバーと、一方の前記コンクリート構造体の接続端面に添設される側板に前記ダウエルバーの一部を固定するための固定機構と、を備えたダウエルバーユニットであって、前記ダウエルバーは、前記一方の構造体の接続端面から内部にかけて水平に埋設固定される第１の埋設ユニットと、他方の前記構造体の接続端面から内部にかけて水平に埋設固定される第２の埋設ユニットと、を有し、前記第１の埋設ユニットは、前記一方の構造体の接続端面に外側端面を露出した状態で埋設固定され且つその内部に雌螺子部を有した円管状のソケットと、該ソケットの内側開口内に螺着される雄螺子部を一端に有した第１の鋼棒と、該ソケットと該第１の鋼棒との間隙に充填された状態で両者を接着固定する防水接着剤と、を備え、前記第２の埋設ユニットは、前記ソケットの外側開口内に一端の雄螺子部を螺着された状態で他方の構造体の内部に埋設固定される第２の鋼棒と、該ソケットと該第２の鋼棒との間隙に充填された状態で両者を接着固定する防水接着剤と、を備えており、前記固定機構は、前記第１の埋設ユニットを前記側板に固定する手段であり、前記ソケットの外側開口内に螺合する雄螺子を外周に有した略円筒状の雄螺子部材と、該雄螺子部材の外側端面の軸心位置に、或いは／及び、該軸心位置から偏心した位置に形成された螺子穴と、該螺子穴内に螺着されるボルト部材と、該ボルト部材に締結されるナットと、を備えたことを特徴とする。
請求項６の発明は、前記ダウエルバーユニットを用いたダウエルバーの埋設工法であって、路盤上に型枠を立設する工程と、前記第１の埋設ユニットを構成する前記ソケットの外側開口内に前記雄螺子部材を螺着する工程と、前記型枠を構成する側板に設けた貫通孔と前記雄螺子部材の螺子穴が連通するように前記第１の埋設ユニットを構成するソケットの外側端面を前記側板の内側面に添設し、該側板の外側から前記貫通孔を介して前記螺子穴内に前記ボルト部材を螺着してから該側板外側面から突出した該ボルト部材にナットを螺着することにより前記第１の埋設ユニットを前記側板に対して略水平に固定する工程と、前記型枠内にコンクリートを打設して固化させることによりコンクリート構造体を構築する工程と、前記コンクリートの固化後に、前記ナットと前記ボルト部材を取り外してから前記型枠を除去する工程と、前記ソケット外側開口から前記雄螺子部材を除去する工程と、を備えたことを特徴とする。
型枠を構成する側板に貫通孔を形成できる場合には、雄螺子部材、ボルト部材、ナットを用いたこの工法を実施できる。
請求項７に係るダウエルバーユニットは、前記ダウエルバーと、該ダウエルバーを構成する前記第１の埋設ユニットのソケットを支持する側板の内側面に一端面を固定されて突設された角柱部材と、外周面に前記ソケットの雌螺子部を螺合する雄螺子部を有し且つ軸心部に前記角柱部材を嵌合させる角柱状の中空部を有した雄螺子部材と、を備えたことを特徴とする。
角柱部材とは、三角柱、四角柱、その他の多角柱を含むものである。
【手続補正３】
【補正対象書類名】明細書
【補正対象項目名】００１３
【補正方法】変更
【補正の内容】
【００１３】
請求項８の発明は、前記ダウエルバーを用いた埋設工法であって、側板の内側面に角柱部材の一端部を固定した型枠を用意する工程と、路盤上に前記型枠を立設する工程と、前記角柱部材の外面に、外周面に雄螺子部を有し且つ軸心部に角柱状の中空部を有した雄螺子部材の該中空部を嵌合させる工程と、前記第１の埋設ユニットを構成する前記ソケットの外側開口内に前記雄螺子部材を螺着させることにより前記第１の埋設ユニットを前記側板に対して略水平に固定する工程と、前記型枠内にコンクリートを打設して固化させることによりコンクリート構造体を構築する工程と、前記コンクリートの固化後に、前記角柱部材と共に前記型枠を除去する工程と、前記ソケット外側開口内から前記雄螺子部材を除去する工程と、を備えたことを特徴とする。
また、この四角部材、雄螺子部材は、繰り返し使用可能であり、他の構造体の構築作業に転用できるため、コストの低減が可能となる。
型枠を構成する側板に貫通孔を形成できない場合には、この工法を実施できる。
【手続補正４】
【補正対象書類名】明細書
【補正対象項目名】００１８
【補正方法】変更
【補正の内容】
【００１８】
次に、図３は本発明のダウエルバーユニットの構成を示す分解図である。
このダウエルバーユニット３０は、ダウエルバー１と、ソケット３の外側端面３ａ’内に螺合する雄螺子を外周に有した略円筒状の雄螺子部材（固定機構）３１と、雄螺子部材の外側端面から軸心に沿って形成された螺子穴（固定機構）３２と、螺子穴内に螺着されるボルト部材（固定機構）３５と、ボルト部材３５に締結されるナット（固定機構）３６、ワッシャー（或いはスプリングワッシャー）３７と、を備えている。雄螺子部材３１と、ボルト部材３５と、ナット３６、ワッシャー（或いはスプリングワッシャー）３７は、路盤５０上に直立状態に配置された型枠６０の側板６１に対して第１の埋設ユニット２を水平に固定するための手段であり、ダウエルバーの位置決め用に従来使用されていたチェアーを不要とすることができる。
雄螺子部材３１と、螺子穴３２と、ボルト部材３５と、ナット３６は、固定機構を構成している。
【手続補正５】
【補正対象書類名】明細書
【補正対象項目名】００３１
【補正方法】変更
【補正の内容】
【００３１】
１…ダウエルバー、２…埋設ユニット、３…ソケット、３ａ…外側端面、３ｂ…内側端面、４…雌螺子部、５…テーパー部、５ａ…終端部、５ｂ…外側端部、１０…鋼棒、１５…接着剤、１５…防水接着剤、２０…埋設ユニット、２１…鋼棒、２１ａ…雄螺子部、２２…防水接着剤、３０…ダウエルバーユニット、３１…雄螺子部材（固定機構）、３２…螺子穴（固定機構）、３５…ボルト部材（固定機構）、３６…ナット（固定機構）、３７…ワッシャー、５０…基層部（路盤）、５１…コンクリート構造体、５１ａ…接続端面、５１ａ…両接続端面、５２…コンクリート構造体、５２ａ…各接続端面、６０…型枠、６１…側板、６１ａ…貫通孔、７０…ボルト、８０…角柱部材、８０ａ…穴、８０ｂ…弾性部材、８０ｃ…ボールプランジャー、８１…雄螺子部材